【手続補正書】
【提出日】平成27年3月3日(2015.3.3)
【手続補正１】
【補正対象書類名】特許請求の範囲
【補正対象項目名】全文
【補正方法】変更
【補正の内容】
【特許請求の範囲】
【請求項１】
分析機器の制御および該分析機器によって得られた分析データを処理するための分析機器制御装置であって、
前記分析機器を制御するための命令及び／又は前記分析機器によって得られたデータを処理するための命令である処理命令を保持する処理命令保持部と、
前記処理命令を視覚的に表現するコマンドアイテムの視覚的情報を保持するアイテム保持部と、
前記処理命令保持部に保持された処理命令と前記アイテム保持部に保持されたコマンドアイテムを紐付けるための情報を持つコマンド関連付け部と、
前記アイテム保持部に保持されたコマンドアイテムを表示するアイテム提示領域と、該コマンドアイテムを配置するための編集領域とを有する編集画面を表示装置に表示させる編集画面表示部と、
入力部を介したユーザによる入力操作に応じて、前記アイテム提示領域内のコマンドアイテムを前記編集領域に移動し、配列させる編集支援部と、
マクロ実行命令を受けた際に、前記編集領域に配列されたコマンドアイテムに基づいて前記コマンド関連付け部及び前記処理命令保持部を参照し、前記分析機器及び／又は分析機器制御装置に対して処理命令を送信するマクロ実行部と、
を有することを特徴とする分析機器制御装置。
【請求項２】
パラメータの入力が必要な処理命令に対応するコマンドアイテムが、ユーザによる該パラメータの設定を受け付けるパラメータ設定部を含むことを特徴とする請求項１に記載の分析機器制御装置。
【請求項３】
前記パラメータ設定部が、前記マクロ実行部によるマクロ実行時にパラメータを問う設定となっている場合、または、前記マクロ実行部が入力すべきパラメータの値が未入力のコマンドアイテムを検出した場合、前記編集支援部が、該パラメータの入力を促すパラメータ設定画面を表示する
ことを特徴とする請求項２に記載の分析機器制御装置。
【請求項４】
分析機器の制御および該分析機器によって得られた分析データを処理するための分析機器制御装置に使用される分析機器制御装置用プログラムであって、
前記分析機器を制御するための命令及び／又は前記分析機器によって得られたデータを処理するための命令である処理命令を保持する処理命令保持部と、
前記処理命令を視覚的に表現するコマンドアイテムの視覚的情報を保持するアイテム保持部と、
前記処理命令保持部に保持された処理命令と前記アイテム保持部に保持されたコマンドアイテムを紐付けるための情報を持つコマンド関連付け部と、
にアクセス可能なコンピュータを、
前記アイテム保持部に保持されたコマンドアイテムを表示するアイテム提示領域と、該コマンドアイテムを配置するための編集領域とを有する編集画面を表示装置に表示させる編集画面表示部と、
入力部を介したユーザによる入力操作に応じて、前記アイテム提示領域内のコマンドアイテムを前記編集領域に移動し、配列させる編集支援部と、
マクロ実行命令を受けた際に、前記編集領域に配列されたコマンドアイテムに基づいて前記コマンド関連付け部及び前記処理命令保持部を参照し、前記分析機器及び／又は分析機器制御装置に対して処理命令を送信するマクロ実行部と、
して機能させることを特徴とする分析機器制御装置用プログラム。
【手続補正２】
【補正対象書類名】明細書
【補正対象項目名】０００９
【補正方法】変更
【補正の内容】
【０００９】
上記課題を解決するために成された本発明は、分析機器の制御および該分析機器によって得られた分析データを処理するための分析機器制御装置であって、
前記分析機器を制御するための命令及び／又は前記分析機器によって得られたデータを処理するための命令である処理命令を保持する処理命令保持部と、
前記処理命令を視覚的に表現するコマンドアイテムの視覚的情報を保持するアイテム保持部と、
前記処理命令保持部に保持された処理命令と前記アイテム保持部に保持されたコマンドアイテムを紐付けるための情報を持つコマンド関連付け部と、
前記アイテム保持部に保持されたコマンドアイテムを表示するアイテム提示領域と、該コマンドアイテムを配置するための編集領域とを有する編集画面を表示装置に表示させる編集画面表示部と、
入力部を介したユーザによる入力操作に応じて、前記アイテム提示領域内のコマンドアイテムを前記編集領域に移動し、配列させる編集支援部と、
マクロ実行命令を受けた際に、前記編集領域に配列されたコマンドアイテムに基づいて前記コマンド関連付け部及び前記処理命令保持部を参照し、前記分析機器及び／又は分析機器制御装置に対して処理命令を送信するマクロ実行部と
を備えることを特徴とする。
【手続補正３】
【補正対象書類名】明細書
【補正対象項目名】００１０
【補正方法】変更
【補正の内容】
【００１０】
本発明に係る分析機器制御装置では、分析機器を制御するための命令（制御命令）及び／又は分析機器によって得られたデータを処理するための命令（データ処理命令）が、処理命令保持部に保持されている。従って、様々な分析機器について、その制御命令やデータ処理命令を予め本発明に係る分析機器制御装置の処理命令保持部に保持させておくことにより、それらの分析機器のいずれにも対応したマクロ処理機能を実行することができる。そして、そのように保持させておいた後は、分かりやすいユーザインタフェースにより、マクロ処理を実行することができる。従って、本発明に係る分析機器制御装置を用いることにより、ユーザは、各種分析機器に対して、統一した、分かりやすい方法でマクロ処理を実行することができる。すなわち、マクロ処理機能を実行するための部分については、分析機器や分析機器制御装置ごとに開発する必要がなくなる。
【手続補正４】
【補正対象書類名】明細書
【補正対象項目名】００１４
【補正方法】変更
【補正の内容】
【００１４】
分析機器制御装置１は、例えばＵＳＢ（Universal Serial Bus）などによる外部装置との直接的な接続や、外部装置等とのＬＡＮ（Local Area Network）などのネットワークを介した接続を司るためのインターフェース（Ｉ／Ｆ）１８を備えており、該Ｉ／Ｆ１８よりネットワークケーブルＮＷを介して分析機器Ａ１に接続されている。
【手続補正５】
【補正対象書類名】明細書
【補正対象項目名】００１６
【補正方法】変更
【補正の内容】
【００１６】
図２(a)に示すように、分析機器制御装置用プログラム２２には処理命令保持部２４が内包されている。処理命令保持部２４には、分析機器を制御するための命令及び／又は該分析機器によって得られたデータを処理するための命令である処理命令が保持される。この処理命令は、たとえばBASIC、Python、Perl、Rubyなどの言語によって記述される。制御対象が分析機器Ａ１から別の分析機器Ａ２に変えられた場合、分析機器制御用プログラム２２及びそれに内包される処理命令保持部２４は、その分析機器Ａ２に対応するものに入れ替えられる。
【手続補正６】
【補正対象書類名】明細書
【補正対象項目名】００２１
【補正方法】変更
【補正の内容】
【００２１】
マクロ実行部２９は、例えばユーザから入力部１６を介して、または所定の処理の結果としてマクロ実行命令を受けた際に、編集領域に配列されたコマンドアイテムに基づいてコマンド関連付け部２６を参照し、処理命令保持部２４に保存された対応する処理命令を分析機器及び／又は分析機器制御装置に送信する。
【手続補正７】
【補正対象書類名】明細書
【補正対象項目名】００３１
【補正方法】変更
【補正の内容】
【００３１】
コマンドシーケンスが作成された後にユーザが適宜の処理（例えば入力部１６を操作することにより）マクロ実行命令を入力すると、マクロ実行部２９は、マクロ編集画面５に配列されたコマンドアイテムに関してコマンド関連付け部２６を参照し、処理命令保持部２４に保存された対応する処理命令を分析機器Ａ１及び／又は分析機器制御装置１に送信する。これにより、分析機器Ａ１や分析機器制御装置１は、その処理命令に基づく処理を実行する。このようにして、マクロ処理が実行される。